(57)【要約】      （修正有）【課題】本発明は、無線通信モジュールを内蔵する機器に応じて無線通信モジュールの形状変更を容易に行うことが可能な無線通信モジュールを提供することを目的とする。【解決手段】無線通信を行うための無線部と、前記無線部の制御を行うための制御部を有する無線通信モジュールの構造であって、該無線通信モジュールが構成されるプリント配線基板上の前記無線部の送受信出入力部からスイッチ付きコネクタを介してアンテナを接続するためのアンテナ給電部を設けたことを特徴とする無線通信モジュールである。【選択図】図１
2004364023.tif 000002
【特許請求の範囲】
【請求項１】
無線通信を行うための無線部と、前記無線部の制御を行うための制御部を有する無線通信モジュールの構造であって、該無線通信モジュールが構成されるプリント配線基板上の前記無線部の送受信出入力部からスイッチ付きコネクタを介してアンテナを接続するためのアンテナ給電部を設けたことを特徴とする無線通信モジュール。
【発明の詳細な説明】
【０００１】
【発明の属する技術分野】本発明は、無線通信を行うための無線送受信機能を有する無線通信モジュールの構造に関する。
【０００２】
【従来の技術】近年、無線通信技術の向上により無線通信機能を有する無線通信モジュールを内蔵した携帯用電子機器はもちろんのこと、無線通信モジュールを自動販売機等の機器に内蔵した遠隔監視システム等、様々な分野で無線通信技術の需要が急速に拡大している。これに伴い、無線通信モジュールは携帯用電子機器の場合は携帯性を考慮した小型化、遠隔監視システムの場合は設置に自由度を持たせるための小型化がそれぞれ要求されている。つまり、様々な無線通信モジュールを内蔵する機器があり、内蔵する機器に応じて、大きさ、形状を異ならせて無線通信モジュールを様々な形状にする必要があった。
【０００３】
【発明が解決しようとする課題】しかしながら従来の無線通信モジュールにおいては、様々な形状にするが故に、特に高周波の場合はその都度、高周波部の整合調整が必要と成る為に、無線通信モジュールの形状に応じて高周波部の整合調整を見直す必要があった。
【０００４】そこで、本発明は上記実情に鑑みて為されたもので、無線通信モジュールを内蔵する機器に応じて無線通信モジュールの形状変更を容易に行うことが可能な無線通信モジュールを提供することを目的とする。
【０００５】
【課題を解決するための手段】上記のような課題を解決するための本発明は、無線通信を行うための無線部と、前記無線部の制御を行うための制御部を有する無線通信モジュールの構造であって、該無線通信モジュールが構成されるプリント配線基板上の前記無線部の送受信出入力部からスイッチ付きコネクタを介してアンテナを接続するためのアンテナ給電部を設けたことを特徴とする。
【０００６】
【発明の実施の形態】以下、図面を参照しつつ、本発明の実施の形態について説明する。ただし、以下で説明する実施の形態は実施例の一つであって、目的を実現できる構成であれば、どのような回路または装置であっても構わず、さらに、実施の形態を複数の回路の介在によって実現してもよく、単一の回路で実現してもよい。
【０００７】図１は、本発明に係る無線通信モジュールの一例を示すブロック図である。本無線通信モジュール（１）は、制御部（２）、無線部（３）、スイッチ付きコネクタ（４）、アンテナ給電部（５）、アンテナ整合部（６）からなる。
【０００８】制御部（２）は、無線通信を行うための無線部（３）の制御を行うと共に、図中には記していないが外部機器からの信号を入出力可能に接続されるインターフェース部等を有する。図中Ｂは、無線部（３）の送受信出入力部からスイッチ付きコネクタ（４）に接続される配線であり、図中Ａは、更にスイッチ付きコネクタ（４）からは、アンテナ整合部（６）へ接続される配線である。アンテナ整合部（６）からはアンテナ給電部（５）へ接続される。アンテナ整合部（６）は、予め調整済みの無線部（３）の送受信出入力部の整合条件と、アンテナ給電部（６）に接続されるアンテナとの整合を取るためのもので、整合条件が一致していれば特に整合を取る必要もなく、アンテナ整合部（６）を必要とせずに、スイッチ付きコネクタ（４）から、直接アンテナ給電部（５）に接続するようにしても良い。尚、スイッチ付きコネクタ（４）は、外部からコネクタが接続されていない状態では、図中Ａの配線と図中Ｂの配線が接続された状態となり、外部からコネクタが接続されている状態では、図中Ａの配線と図中Ｂの配線との接続を切断し、外部から接続されたコネクタと図中Ｂの配線との接続がなされ、外部から接続されたコネクタと図中Ａの配線との接続が切断されるスイッチ付きコネクタである。
【０００９】次に、本発明に係る無線通信モジュールの第１の使用形態である図２を説明する。本無線通信モジュール（１）を筐体に組み込んだ場合、予め筐体に固定されたアンテナ（７）と本無線通信モジュール（１）のアンテナ給電部（５）が接続される。この場合、本無線通信モジュール（１）のアンテナ給電部（５）と接続されるアンテナ（７）側にはバネ接点等を有している。そして、無線部（３）から図中Ａの配線と図中Ｂの配線が接続された状態であるため、無線部（３）は、アンテナ（７）を介して無線通信が可能となる。
【００１０】次に、本発明に係る無線通信モジュールの第２の使用形態である図３を説明する。この場合、無線部（３）からスイッチ付きコネクタ（４）を介してアンテナ（７）を接続するためのアンテナ給電部（５）が設けられているので、図中Ａの配線の通る図中Ｃ−Ｃにて無線通信モジュールのプリント配線基板を分割する。この際、プリント配線基板の図中Ｃ−Ｃ間には、プリント配線基板を分割しやすいように予め穴を配列したり、スリットを入れておくのが望ましい。そして、プリント配線基板分割後は、無線通信モジュール回路基板（１２）となり、第１の使用形態よりプリント配線基板が小型化され、スイッチ付きコネクタ（４）部にて予め一般的な整合条件、例えば５０オーム整合等にしているので、市販のアンテナを同軸ケーブルを用いてコネクタ接続することが可能となり、プリント配線基板分割後のアンテナ給電用基板を不要として、無線部（３）からスイッチ付きコネクタ（４）同軸ケーブル、アンテナを介して無線通信が可能となる。
【００１１】尚、上記第２の使用形態にて整合条件の合う一般的な市販のアンテナを使う事が可能としたが、他のユニットと融合させて使用し、そのユニット内に別途アンテナを接続する構成を有している場合は、無線通信モジュール回路基板（１２）のスイッチ付きコネクタ（４）と、融合させて使用するユニット内に設けられたアンテナを接続する構成部とを同軸ケーブルで接続するようにしても良い。この場合でも、無線通信モジュール回路基板（１２）のスイッチ付きコネクタ（４）部では予め一般的な整合条件、例えば５０オーム整合等にしているので、接続後の整合の考慮が簡素化される。
【００１２】また、上記第２の使用形態にて整合条件の合う一般的な市販のアンテナを使う事が可能としたが、整合条件の異なる専用のアンテナを使用したい場合には、図４に示す第３の使用形態のように、プリント配線基板分割後のアンテナ整合部（６）により専用のアンテナに整合されているアンテナ給電用基板（１１）を用いる事も可能とする。
【００１３】
【発明の効果】本発明によれば、無線部からスイッチ付きコネクタを介してアンテナを接続するためのアンテナ給電部を設け、プリント配線基板分割を行わなくともスイッチ付きコネクタ部にて高周波整合調整が可能で、高周波整合の異なるアンテナを用いてもアンテナ整合部でスイッチ付きコネクタ部と異なった整合条件で整合が為されているので、プリント配線基板分割を行う場合と行わない場合でも、無線通信モジュールの整合条件を考慮することなく、異なった使用形態にて使用が可能となる。
【図面の簡単な説明】
【図１】本発明に係る無線通信モジュールの一例を示すブロック図
【図２】本発明に係る無線通信モジュールの第１の使用形態を示すブロック図
【図３】本発明に係る無線通信モジュールの第２の使用形態を示すブロック図
【図４】本発明に係る無線通信モジュールの第３の使用形態を示すブロック図
【符号の説明】
１…無線通信モジュール、２…制御部、３…無線部、４…スイッチ付きコネクタ、５…アンテナ給電部、６…アンテナ整合部、７…アンテナ、１１…アンテナ給電用基板、１２…無線通信モジュール回路基板
【図１】
2004364023.tif 000003
【図２】
2004364023.tif 000004
【図３】
2004364023.tif 000005
【図４】
2004364023.tif 000006